(57)【特許請求の範囲】
【請求項１】
可動する押しボタンと、
前記押しボタンを可動させる可動機構と、
前記押しボタンの作動に伴って操作されるスイッチ本体と、を備え、
前記押しボタンの裏面に対向し、且つ前記押しボタンの作動によって可動しない位置に、
前記押しボタンから離間した所定位置に利用客の指先が到達したことを検知する非接触式の検知手段を備え、
前記スイッチ本体の操作又は前記検知手段の検知のいずれかによってエレベータの登録操作が可能な
エレベータ用操作装置。
【請求項２】
前記検知手段は、前記押しボタンの表面から直交する方向に第１所定距離だけ離間した位置までの空間領域は利用客の指先が到達したことを検知せず、
前記押しボタンの表面から直交する方向に第１所定距離だけ離間した位置から前記押しボタンの表面から直交する方向に第２所定距離だけ離間した位置までの空間領域は利用客の指先が到達したことを検知する、
請求項１に記載のエレベータ用操作装置。
【請求項３】
前記検知手段が光電センサである
請求項１又は２に記載のエレベータ用操作装置。
【請求項４】
前記押しボタンの表面全体又は一部は、前記光電センサから照射された光を透過する
請求項３に記載のエレベータ用操作装置。
【請求項５】
前記スイッチ本体と前記検知手段が並列に接続される
請求項１乃至４のいずれか１項に記載のエレベータ用操作装置。
【請求項６】
前記所定位置は、前記押しボタンの水平方向投影面内の所定位置である
請求項１乃至５のいずれか1項に記載のエレベータ用操作装置。
【請求項７】
請求項１乃至６に記載のエレベータ用操作装置を備える
エレベータ。
【発明の詳細な説明】
【技術分野】
【０００１】
本発明は、衛生面に配慮したエレベータ用操作装置、及び該エレベータ用操作装置に関する。
【背景技術】
【０００２】
従来エレベータ用操作装置として、例えば、特許文献１に記載された照光押しボタンスイッチが用いられていた。
【０００３】
一方、衛生面での需要からエレベータ用操作装置に触れることなく、操作を行うことができる非接触のエレベータの登録ボタンが知られている（例えば、特許文献２、３及び４）。これらの非接触のエレベータの登録ボタンは、乗客による呼び登録の操作を、距離センサや光電センサによって非接触で検出することとしている。
【０００４】
ところで、視覚障害のある利用者等にとっては、上記のような非接触のエレベータの登録ボタンよりも押しボタンなどで構成されたエレベータ用操作装置の方が誤操作のおそれが少なく利用しやすい。
【０００５】
これらの事情から非接触のエレベータの登録ボタン及び押しボタン双方のエレベータ用操作装置を乗場やかご内に併設する場合には、いずれか一方のエレベータ用操作装置のみを設置する場合と比較してより大きな設置スペースが必要となるため設置困難な場合がある。
【０００６】
そこで、エレベータのかご及び乗場に、行先階登録を行うための操作を受けつけるとともに、押し操作によって行先階の登録がなされたことを報知する登録報知部が設けられた接触式のエレベータ用押しボタンと、接触式のエレベータ用押しボタンに隣接配置され、所定動作を非接触で検出することにより行先階登録を受けつける非接触式の検知手段とを備えたエレベータ用操作装置をそれぞれ設置する場合があった。
【先行技術文献】
【特許文献】
【０００７】
【特許文献１】特開２０１６−００４７６７号公報
【特許文献２】特開２００５−２６３３７８号公報
【特許文献３】特開２０１３−１２４１６６号公報
【特許文献４】特開２０１５−１５１２５３号公報
【発明の概要】
【発明が解決しようとする課題】
【０００８】
しかしながら、従来の接触式のエレベータ用押しボタンスイッチと、接触式のエレベータ用押しボタンスイッチに隣接配置された非接触式の検知手段を備えるエレベータであっても、省スペース化するには限界があり、例えば、停止数の多い場合など、接触式のエレベータ用押しボタンスイッチ及び非接触式の検知手段がスペース的に配置できない場合があった。
【０００９】
本発明は、エレベータに押しボタン及び非接触式の検知手段を設ける場合において、操作盤の大型化を抑制しつつ利用者の利便性も向上させることを目的とする。 
【課題を解決するための手段】
【００１０】
本発明に係るエレベータ用操作装置は、可動する押しボタンと、前記押しボタンを可動させる可動機構と、前記押しボタンの作動に伴って操作されるスイッチ本体と、を備え、前記押しボタンの裏面に対向し、且つ前記押しボタンの作動によって可動しない位置に、前記押しボタンから離間した所定位置に利用客の指先が到達したことを検知する非接触式の検知手段を備え、前記スイッチ本体の操作又は前記検知手段の検知のいずれかによってエレベータの登録操作が可能である。
【００１１】
また、本発明に係るエレベータ用操作装置は、前記検知手段が、前記押しボタンの表面から直交する方向に第１所定距離だけ離間した位置までの空間領域は利用客の指先が到達したことを検知せず、前記押しボタンの表面から直交する方向に第１所定距離だけ離間した位置から前記押しボタンの表面から直交する方向に第２所定距離だけ離間した位置までの空間領域は利用客の指先が到達したことを検知しても良い。
【００１２】
また、本発明に係るエレベータ用操作装置は、前記検知手段が光電センサであっても良い。
【００１３】
また、本発明に係るエレベータ用操作装置は、押しボタンの表面全体又は一部が、前記光電センサから照射された光を透過しても良い。
【００１４】
また、本発明に係るエレベータ用操作装置は、前記スイッチ本体と前記検知手段が並列に接続されても良い。
【００１５】
また、本発明に係るエレベータは、前記エレベータ用操作装置を備える。
【発明の効果】
【００１６】
本発明に係るエレベータ用操作装置、及び該エレベータ用操作装置を備えるエレベータによれば、押しボタン及び非接触式の検知手段を設ける場合において、操作盤の大型化を抑制しつつ利用者の利便性を向上させることができる。
【図面の簡単な説明】
【００１７】
【図１】本発明の一実施形態であるエレベータの全体構成図である。
【図２】本発明の一実施形態であるエレベータの乗りかご内の構成を示す斜視図である。
【図３】本発明の一実施形態であるエレベータ用操作装置の構成を示す図である。
【図４】本発明の一実施形態であるエレベータ用操作装置に用いるエレベータ用押しボタンスイッチの正面図である。
【図５】本発明の一実施形態であるエレベータ用操作装置に用いるエレベータ用押しボタンスイッチの一部構成を省略した端面図である。
【図６】本発明の一実施形態であるエレベータ用操作装置に用いるエレベータ用押しボタンスイッチの概略回路図である。
【発明を実施するための形態】
【００１８】
以下、本発明の一実施形態であるエレベータ１について、図面を参照しながら説明する。なお、各図において、図中に示す「Ｘ」は駆動シーブ１８０の軸方向と直交する水平方向Ｘを示し、「Ｙ」は上下方向Ｙを示し、「Ｚ」は水平方向Ｘ，および上下方向Ｙに各々直交する水平方向Ｚを示すものとする。
【００１９】
図１に示すように、エレベータ１は、昇降路１２０の最上部に機械室１４０を有するトラクション式エレベータであって、例えば、病院や介護施設など公共の建物に設置される。機械室１４０に設置された巻上機１６０の駆動シーブ１８０には、主ロープ２００が掛けられており、この主ロープ２００の一端部にエレベータかご５が連結され、他端部にカウンターウェイト２４０が連結されている。また、機械室１４０には、エレベータ１の動作を制御する制御装置１１０が設けられている。
【００２０】
巻上機１６０のモータ１７０からの回転動力が、動力伝達機構（不図示）を介して駆動シーブ１８０に伝達され、駆動シーブ１８０が回転駆動されるとこれに伴って主ロープ２００が走行し、主ロープ２００に吊り下げられたエレベータかご５が、ガイドレール２１０に案内されて昇降路を上下方向Ｙに移動する。
【００２１】
エレベータ１が設置された建物には、異なる階毎に乗場２６０Ａ，２６０Ｂが設けられており、エレベータ１の運転中、エレベータかご５は、現在、着床している階の乗場（図１では、乗場２６０Ｂ）から、次の行先階の乗場（例えば、乗場２６０Ａ）までの昇降移動を繰り返す。
【００２２】
図２は、エレベータかご５内のかご扉３，３周辺の構成を示す斜視図である。かご扉３，３の左右には袖壁４，４が設けられている。また、一方の袖壁４には、エレベータ用操作装置２が設けられている。エレベータ１の利用者が、このかご操作盤２を操作することにより、エレベータかご５の行先階が決定される。
【００２３】
図３は、エレベータ用操作装置２の構成を示す正面図である。図３に示すように、エレベータ用操作装置２は、エレベータかご５の行先階を決定する入力操作を行う機能を有する行先階登録押しボタンスイッチ８が表板２１の中央部付近に設けられている。また、行先階登録押しボタンスイッチ８の下方には、扉を開く開押しボタンスイッチ９、扉を閉める閉押しボタンスイッチ１０、及び非常時に外部に通報するための非常呼び押しボタンスイッチ１１が設けられている。本発明においてこれらの行先階登録押しボタンスイッチ８、開押しボタンスイッチ９、閉押しボタンスイッチ１０、及び非常呼び押しボタンスイッチ１１を総称してエレベータ用押しボタンスイッチ７と称する。
【００２４】
表板２１の上部には、エレベータかご５の進行方向及びエレベータかご５の位置を表示する情報表示部６が設けられている。また、表板２１の下部には、エレベータ１の運転を入り切りするスイッチ（不図示）や照明の入り切りするスイッチ（不図示）等を内蔵するスイッチボックス１２が設けられている。また、エレベータ用操作装置２の表板２１の裏面側には、音声を出力するスピーカー２４が内蔵されている。
【００２５】
図４は、エレベータ用押しボタンスイッチ７の押しボタン１３部分の構成を示す正面図である。押しボタン１３の表面には、行先階、開くマーク、閉めマーク及び非常呼びマーク（電話、ベル、ＳＯＳ等）が表示される表示部２２が設けられている。また、押しボタン１３は、押しボタン１３から所定距離離れた位置にある利用者の指等を検知する検知領域を有する。前記検知領域は、押しボタン１３の表面全体又は一部の領域である。
【００２６】
図５は、エレベータ用押しボタンスイッチ７の一部構成を省略した断面図である。エレベータ用押しボタンスイッチ７は、表板２１の開口に嵌設されるボタンガイド１４と、利用者によって操作される押しボタン１３とを有している。
【００２７】
また、エレベータ用押しボタンスイッチ７は、押しボタン１３の裏面と対向する位置に、プリント基板１６を有する。プリント基板１６の押しボタン１３の裏面と対向する面には、押しボタン１３の操作によってＯＮするスイッチ本体１７と、押しボタン１３から所定距離離れた位置にある利用者の指等を検知する検知手段１８と、スイッチ本体１７がＯＮしたこと又は検知手段１８が検知したことを発光することによって報知する複数のＬＥＤ１９が取り付けられている。
【００２８】
斯かる構成によれば、前記スイッチ本体１７と、前記検知手段１８と、前記スイッチ本体１７又は前記検知手段１８がオンした時に点灯するＬＥＤ１９が同一のプリント基板１６上に実装されるため、エレベータ用押しボタンスイッチ７の薄型化を図ることができる。
【００２９】
図６は、本発明の一実施形態であるエレベータ用操作装置に用いるエレベータ用押しボタンスイッチの概略回路図である。スイッチ本体１７と検知手段１８は並列に接続される。
【００３０】
斯かる構成によれば、スイッチ本体１７と検知手段１８は並列に接続されるため、いずれか一方が導通した信号を出力することが可能となり、信号用の電線を減ずることができる。
【００３１】
図５において、スイッチ本体１７はタクトスイッチであるが、マイクロスイッチ、ラバー接点やリーフスイッチ等、公知の他のスイッチであっても良い。また、図５において、検知手段１８は光電センサ（ＰＨＳ：ｐｈｏｔｏｅｌｅｃｔｒｉｃ  ｓｅｎｓｏｒ）であるが、押しボタン１３から所定距離離れた位置にある利用者の指等を検知できるものであれば、距離センサ、超音波センサ等、公知の他のセンサであっても良い。なお、  例えば、検知手段１８がミリ波を発する発信機等、検知物と発信機の間にある障害物の影響を受けにくいセンサとしても良い。係る構成によれば、表示部２２が、凸文字（マーク）であっても、凸文字（マーク）による検知精度の低下を防ぐことができる。
【００３２】
また、エレベータ用押しボタンスイッチ７は、押しボタン１３の裏面側に、押しボタン１３をＸ方向に可動させる可動機構２０を有する。図５において、可動機構２０は、複数の圧縮バネである。なお、可動機構２０は、リンク機構やゴム等、押しボタン１３をＸ方向に可動させることが可能なものであれば、公知の他の機構であっても良い。
【００３３】
また、図５の検知手段１８は、赤外線式光電センサの場合、押しボタン１３の表面全体又は一部は赤外線を透過可能に構成される。
【００３４】
本実施形態では、センサの感度を調整し、予め設定されている検出領域Ｐの物体を検出可能に構成されている。ここで、図５は、押しボタン１３と検出領域Ｐの位置関係を示す模式図である。また、図５では、ハッチングを付して検出領域Ｐを図示している。
【００３５】
図５に示すように、検出領域Ｐは、表板２１から水平方向Ｘに第１所定距離Ｌ１だけ離れた位置から水平方向Ｘに第２所定距離Ｌ２だけ離れた位置までを含む空間領域に設定される。また、検知領域Ｐは、押しボタン１３の水平方向Ｘの投影面の範囲内に収まる空間領域である。これにより、エレベータ用操作装置２の複数の押しボタンスイッチ７相互の間隔を狭くして設置した場合であっても、検知手段１８の誤反応を低減することができる。
【００３６】
第１所定距離Ｌ１としては、２ｃｍ≦Ｌ１≦３ｃｍとなるように設定するのが好ましい。これにより、視覚障害のある利用者が押釦の位置を手探りで探すような場合において、利用者の指などにセンサが反応して行先階が誤って過誤登録されるのを抑制できる。
【００３７】
また、第２所定距離Ｌ２としては、４ｃｍ≦Ｌ２≦１０ｃｍとなるように設定するのが好ましい。これにより、エレベータかご５内が混雑しているときなどに乗客の身体の一部や持ち物などを検知手段１８が誤検知し難くできる。この結果、エレベータかご５内が混雑しているときなどに乗客の身体の一部や持ち物などが検知領域２３に近接し行先階が誤って登録されるのを抑制できる。
【００３８】
上記検出領域Ｐに利用者が指先等をかざすなどの所定動作を行うことで検知手段１８が予め設定された時間だけ遮光を検知すると、制御装置１１０（図１参照）に検出信号が送信され、行先階の登録がなされる。そして、行先階の登録がなされると、ＬＥＤ１９が点灯する。これにより、利用者に行先階の登録がなされたことを報知できる。
【００３９】
上記構成からなるエレベータ用操作装置２は、機械室１４０（図１参照）に設置された制御装置１１０と電気的に接続されている。制御装置１１０は、エレベータ１の運転制御全般を統括して行うコンピュータであり、ＣＰＵ（不図示）や、メモリ、ＨＤＤなどの記憶デバイス（不図示）を備える。記憶デバイスには、例えば、巻上機１６０の駆動制御、かご扉３，３の開閉制御などを行うための各種制御プログラムが格納されている。ＣＰＵが、これらのプログラムを読み出して実行することにより、制御装置１１０によるエレベータ１の円滑な運転が実現される。
【００４０】
上記構成を有するエレベータ１では、エレベータかご５の行先階登録に関する制御も制御装置１１０によって行われる。制御装置１１０のメモリには、エレベータかご５の行先階登録に関する制御プログラムが格納されており、ＣＰＵが当該制御プログラムをメモリから読み出し、かご２２の行先階登録を制御する。
【００４１】
以上により、本発明に係るエレベータ用操作装置２は、可動する押しボタン１３と、前記押しボタン１３を可動させる可動機構２０と、前記押しボタン１３の作動に伴って操作されるスイッチ本体１７と、を備え、前記押しボタン１３の裏面に対向する位置に、前記押しボタン１３から離間した所定位置（検出領域）Ｐに利用者の指先が到達したことを検知する非接触式の検知手段１８を備える。
【００４２】
斯かる構成によれば、押しボタン１３及び非接触式の検知手段１８を設ける場合において、エレベータ用操作装置２の大型化を抑制しつつ利用者の利便性を向上させることが可能なエレベータ用押しボタンスイッチ７を提供することができる。
【００４３】
また、本発明に係るエレベータ用操作装置２は、前記押しボタン１３の表面全体又は一部に前記検知手段１８の検知領域を有しても良い。
【００４４】
斯かる構成によれば、利用者が押しボタン１３の表面全体又は一部の検知領域に指先等をかざすことにより、行先階の登録等を行うことができるため、エレベータ用操作装置２の大型化を抑制しつつ利用者の利便性を向上させることが可能なエレベータ用押しボタンスイッチ７を提供することができる。
【００４５】
また、本発明に係るエレベータ用操作装置２は、前記検知手段１８が光電センサであっても良い。
【００４６】
斯かる構成によれば、利用者が押しボタン１３の表面全体又は一部の検知領域を透過した赤外線等が遮断されることを確実に検知し、行先階の登録等を行うことができるため、エレベータ用操作装置２の大型化を抑制しつつ利用者の利便性を向上させることが可能なエレベータ用押しボタンスイッチ７を提供することができる。
【００４７】
また、本発明に係るエレベータ用操作装置２は、前記押しボタン１３の表面全体又は一部が、前記光電センサ（検知手段１８）から照射された光を透過しても良い。
【００４８】
斯かる構成によれば、押しボタンの表面全体又は一部が赤外線等の光を透過できるため、確実に行先階の登録等を行うことができる。
【００４９】
また、本発明に係るエレベータ用操作装置２は、前記スイッチ本体１７と前記検知手段１８が並列に接続されても良い。
【００５０】
斯かる構成によれば、前記スイッチ本体１７と前記検知手段１８とのいずれかがＯＮとなった場合、ＯＮ信号を出力することができる。これにより、エレベータ用押しボタンスイッチ７の信号線を２本とすることができ、エレベータ用押しボタンスイッチ７の小型化を図ることができる。
【００５１】
また、本発明に係るエレベータ１は、前記エレベータ用操作装置２を備える。
【００５２】
斯かる構成によれば、押しボタン１３及び非接触式の検知手段１８を設ける場合において、エレベータ用操作装置２の大型化を抑制しつつ利用者の利便性を向上させることが可能なエレベータ１を提供することができる。
【００５３】
なお、本発明に係るエレベータ用押しボタンスイッチを備えるエレベータ用操作装置２、及び該エレベータ用操作装置を備えるエレベータ１は、上記した実施形態の構成に限定されるものではなく、また、上記した作用効果に限定されるものではない。また、エレベータ用押しボタンスイッチを備えるエレベータ用操作装置２、及び該エレベータ用操作装置を備えるエレベータ１は、本発明の要旨を逸脱しない範囲内において種々変更を加え得ることは勿論である。
【００５４】
（１）上記実施形態に係るエレベータ用操作装置２は、かご操作盤として説明したが、乗場操作盤であっても同様の効果を得ることができることは勿論である。
【００５５】
（２）また、上記実施形態に係るエレベータ１は、機械室付エレベータとして説明したが、機械室無しエレベータであっても同様の効果を得ることができることは勿論である。
【００５６】
（３）また、上記実施形態に係るエレベータ用操作装置２は、表示部２２が押しボタン１３の表面と同一高さで示されている構成である。しかしながら、エレベータ用操作装置２は、斯かる構成に限られない。例えば、表示部２２は、凸文字（マーク）であっても良い。
【符号の説明】
【００５７】
１    エレベータ
２    エレベータ用操作装置
３    かご扉
４    袖壁
５    エレベータかご
６    情報表示部
７    押しボタンスイッチ
８    行先階登録押しボタンスイッチ
９    開押しボタンスイッチ
１０  閉押しボタンスイッチ
１１  非常呼び押しボタンスイッチ
１２  スイッチボックス
１３  押しボタン
１４  ボタンガイド
１５  ケース
１６  プリント基板
１７  スイッチ本体
１８  検知手段
１９  ＬＥＤ
２０  可動機構
２１  表板
２２  表示部
Ｌ１    第１所定領域
Ｌ２    第２所定領域
Ｐ      検出領域
１１０  制御装置
１２０  昇降路
１４０  機械室
１６０  巻上機
１７０  モータ
１８０  駆動シーブ
２００  主ロープ
２１０  ガイドレール
２４０  カウンターウエイト
２６０Ａ，２６０Ｂ  乗場
【要約】
【課題】エレベータに押しボタン及び非接触式の検知手段を設ける場合において、操作盤の大型化を抑制しつつ利用者の利便性も向上させる。
【解決手段】エレベータ用操作装置２は、可動する押しボタン１３と、押しボタン１３を可動させる可動機構２０と、押しボタン１３の作動に伴って操作されるスイッチ本体１７と、を備え、押しボタン１３の裏面に対向する位置に、押しボタン１３から離間した所定位置に利用客の指先が到達したことを検知する非接触式の検知手段１８を備える。
【選択図】図５【図１】
0006841372.tif 000002
【図２】
0006841372.tif 000003
【図３】
0006841372.tif 000004
【図４】
0006841372.tif 000005
【図５】
0006841372.tif 000006
【図６】
0006841372.tif 000007